(57)【特許請求の範囲】
【請求項１】
保存箱を含み、前記保存箱の中には上方に開口した移動空間が設置され、また前記移動空間の左右端壁が外部空間と連通しており、前記保存箱の上側には前記移動空間の上端壁を封鎖できるカバー板が設置され、また前記カバー板の後端が前記保存箱と回転可能に連結され、前記カバー板の中には下方に開口した照明空間が設置され、前記照明空間の上端壁には殺菌するために使用される紫外線灯が固定され、前記移動空間の中にはガーゼを貯蔵する蓄え機構が設置され、前記移動空間の下端壁の中には計数するために使用される計数機構が設置され、前記移動空間の下端壁の中には上方に開口した上げ空間が二つ設置され、前記上げ空間の中には昇降可能な支え板が設置され、前記計数機構は外界と左側の前記上げ空間とを連通する五つの平行移動空間及び外界と右側の前記上げ空間を連通する一つの前記平行移動空間を含み、前記平行移動空間の下端壁の中には上方に開口した平行移動溝が形成され、左側の前記支え板の中には左方に開口した四つのプッシュ溝及び上方に開口した四つの制限空間が設置され、前記プッシュ溝の中にはプッシュ板及び前記プッシュ板と前記プッシュ溝の右端壁を連結したプッシュばねが設置され、前記制限空間の中にはプッシュブロック及び前記プッシュブロックと前記プッシュ板を連結した引き紐がスライド可能に連結され、前記平行移動溝の中には支えブロックが設置され、前記支えブロックの上端が前記平行移動空間の中に位置しており、上側の四つの前記平行移動空間の中には前記プッシュ板と当接した第一台形ブロックが設置され、前記台形ブロックの右端が前記プッシュ溝の中に位置しており、前記第一台形ブロックと上側の前記支えブロックの上端とが固定的に連結され、下側の前記平行移動空間の中には下側の前記支えブロックの上端と固定的に連結された制限ロッドが設置され、上側の前記平行移動溝の中には前記支えブロックの左側に位置した平行移動板及び前記平行移動板と前記平行移動溝の左端壁を連結した平行移動ばねが設置され、下側の前記平行移動溝の中にはまた前記支えブロックと前記平行移動溝の端壁を連結した制限ばねが設置され、左下の前記支えブロックの下端には前記平行移動板と固定的に連結された連結縄が四本固定され、四本の前記連結縄の右端が下側の前記平行移動溝の右端壁と上側の前記平行移動溝の左端壁を貫通し、前記保存箱の中には本願発明の動作を駆動できる駆動機構が設置され、前記移動空間の下端壁の中には前記蓄え機構の昇降を駆動できる昇降機構が設置され、前記駆動機構が前記蓄え機構を駆動して左右方向に移動させる時、左右方向に移動してガーゼを取って使用する回数は前記計数機構により計算され、手術完了後にガーゼの数を調べることができ、
前記蓄え機構は前記移動空間の中に位置した四つの底板を含み、前記底板の上端面には鉛直止め板が四つ固定的に連結され、二つの前記鉛直止め板の間には仕切り板が五つ固定的に連結され、一番後ろの前記仕切り板の後端には鉄ブロックが固定され、前記底板の中には下方に開口した上げ空間が四つ設置され、前記上げ空間の中には摩擦板及び前記摩擦板と前記上げ空間の上端壁を連結した上げばねが設置され、前記上げ空間の上端壁にはまた接触センサーが固定的に連結され、二つの前記仕切り板の間にはピストン板及び前記ピストン板を支える二つの復帰ばねが設置され、前記ピストン板の下端には前記摩擦板と接触した連結ロッドが固定的に連結され、前記連結ロッドの下端が前記上げ空間の上端壁を貫通し、前記上げ空間の前端壁の中には後ろに開口した電磁空間が設置され、前記電磁空間の下端壁が前記移動空間と連通しており、前記電磁空間の上端壁には第二電磁石が固定的に連結され、前記摩擦板の中には前に開口した押し出し溝が形成され、前記押し出し溝の中には前記第二電磁石と反発し合いまた吸引し合うことができる第二台形ブロック及び前記第二台形ブロックを復帰させられる押し出しばねが設置され、また前記第二台形ブロックの前端が前記電磁空間の中に位置しており、一番前の前記上げ空間の前端壁の中には前に開口した接触空間が設置され、前記接触空間の上側端壁と下側端壁との間には摩擦軸が回転可能に連結され、前記摩擦軸には摩擦輪及び接触ロッドが固定的に連結され、前記接触空間の後端壁にはまた前記接触ロッドとの接触により前記第二電磁石の通電と停電を制御できる接触スイッチが固定的に連結されており、
前記駆動機構は二つの前記上げ空間を連通できる貫通空間を含み、前記保存箱の中にはスライド空間が二つ設置され、上側の前記スライド空間の前端壁が前記移動空間と連通しており、下側の前記スライド空間の前端壁には二つの前記上げ空間と二つの前記貫通空間が連通され、前記貫通空間の後端壁の中には前に開口したスライド溝が形成され、前記スライド溝の後端壁には電動レールが固定的に連結され、上側の前記電動レールの前端面には前記鉄ブロックと吸引し合える第一電磁石が四つ固定的に連結され、下側の前記電動レールの前端面には前記鉄ブロックと吸引し合える前記第一電磁石が一つ固定され、前記移動空間の前端壁の中には後ろに開口した伸縮空間が設置され、前記伸縮空間の中には前記摩擦輪と接触した摩擦ブロックが設置され、また前記摩擦ブロックの後端が前記接触空間の中に位置しており、前記摩擦ブロックの後端には後下方に傾斜した斜面が設置され、前記伸縮空間の中にはまた前記摩擦ブロックと前記伸縮空間の前端壁を連結した伸縮ばねが設置されており、
前記昇降機構は前記支え板を支えられる支えばねを含み、左側の前記支え板の下端には右側の前記支え板と固定的に連結されたロープが固定的に連結され、前記ロープの下端が二つの前記上げ空間の下端壁を貫通し、上側の前記スライド空間の下端壁の中には前に開口した昇降溝が二つ形成され、二つの前記昇降溝の上端壁が前記スライド空間と連通しており、前記昇降溝の下端壁が前記上げ空間の中に伸びて下側の前記スライド空間の上下端壁を貫通し、下側の前記スライド溝の左右端壁の中には前記スライド溝と連通したばね溝が形成され、前記ばね溝の中にはばねロッドが設置され、前記ばねロッドの一端が前記スライド溝の中に位置しており、前記ばね溝の中にはまた前記ばねロッドと前記ばね溝の端壁を連結した圧縮ばねが設置され、前記ばねロッドの一端には前記支えブロックと固定的に連結されたチェーンが固定的に連結され、前記チェーンの一端が前記ばね溝の端壁と下側の前記平行移動溝の端壁を貫通しており、
ガーゼの重さは前記復帰ばねの弾性力と前記上げばねの弾性力との和より大きく、前記第二電磁石と前記第二台形ブロックとの間の磁力は前記上げばねの弾性力より遥かに大きく、前記伸縮空間の左右端壁の距離は前記底板の左右端面の距離より小さく、左側の前記支えばねの弾性力は右側の前記支えばねの弾性力より遥かに大きく、左側の前記支えばねの弾性力は一つの前記底板の重力と前記支えばねの弾性力との和より小さく、前記圧縮ばねの弾性力は前記制限ばねの弾性力より遥かに大きく、前記制限ばねの弾性力は前記平行移動ばねの弾性力より遥かに大きく、前記プッシュブロックと前記制限空間との間の摩擦力は前記プッシュばねの弾性力より遥かに大きいが、前記プッシュブロックと前記摩擦板との間の摩擦力より小さいことを特徴とする手術用ガーゼ計数装置。
【発明の詳細な説明】
【技術分野】
【０００１】
本願発明は手術器械分野に関わり、具体的には手術用ガーゼ計数装置である。
【背景技術】
【０００２】
新しくて高度な技術を持っている手術の発展に伴い、手術器械、手術手当用品も変化し続けており、また手術室と供給室との一体式の管理により手術室でのカウント制度の規範化を促進し、カウント制度を厳しく実施することにより異物が体腔に残るのを避けられ、
現在、多数のは執刀医により手術を行い、助手がそばにいて手術器械を渡すことを補助するのであり、手術する過程に、ガーゼを利用して血液を吸収する必要があり、手術完了後、人によりガーゼカウントを行う需要があり、時間と力を費やし、またミスして医療事故を引き起こしやすい。
【先行技術文献】
【特許文献】
【０００３】
【特許文献１】中国特許出願公開第１０４９２１８０８号明細書
【発明の概要】
【発明が解決しようとする課題】
【０００４】
本願発明は手術用ガーゼ計数装置を提供することによって点検しにくいなどの問題を解決し、点検を便利にすることを目的とする。
【課題を解決するための手段】
【０００５】
本願発明は以下の技術的プランによって実現される。
【０００６】
本願発明の手術用ガーゼ計数装置は、保存箱を含み、前記保存箱の中には上方に開口した移動空間が設置され、また前記移動空間の左右端壁が外部空間と連通しており、前記保存箱の上側には前記移動空間の上端壁を封鎖できるカバー板が設置され、また前記カバー板の後端が前記保存箱と回転可能に連結され、前記カバー板の中には下方に開口した照明空間が設置され、前記照明空間の上端壁には殺菌するために使用される紫外線灯が固定され、前記移動空間の中にはガーゼを貯蔵する蓄え機構が設置され、前記移動空間の下端壁の中には計数するために使用される計数機構が設置され、前記移動空間の下端壁の中には上方に開口した上げ空間が二つ設置され、前記上げ空間の中には昇降可能な支え板が設置され、前記計数機構は外界と左側の前記上げ空間とを連通する五つの平行移動空間及び外界と右側の前記上げ空間を連通する一つの前記平行移動空間を含み、前記平行移動空間の下端壁の中には上方に開口した平行移動溝が形成され、左側の前記支え板の中には左方に開口した四つのプッシュ溝及び上方に開口した四つの制限空間が設置され、前記プッシュ溝の中にはプッシュ板及び前記プッシュ板と前記プッシュ溝の右端壁を連結したプッシュばねが設置され、前記制限空間の中にはプッシュブロック及び前記プッシュブロックと前記プッシュ板を連結した引き紐がスライド可能に連結され、前記平行移動溝の中には支えブロックが設置され、前記支えブロックの上端が前記平行移動空間の中に位置しており、上側の四つの前記平行移動空間の中には前記プッシュ板と当接した第一台形ブロックが設置され、前記台形ブロックの右端が前記プッシュ溝の中に位置しており、前記第一台形ブロックと上側の前記支えブロックの上端とが固定的に連結され、下側の前記平行移動空間の中には下側の前記支えブロックの上端と固定的に連結された制限ロッドが設置され、上側の前記平行移動溝の中には前記支えブロックの左側に位置した平行移動板及び前記平行移動板と前記平行移動溝の左端壁を連結した平行移動ばねが設置され、下側の前記平行移動溝の中にはまた前記支えブロックと前記平行移動溝の端壁を連結した制限ばねが設置され、左下の前記支えブロックの下端には前記平行移動板と固定的に連結された連結縄が四本固定され、四本の前記連結縄の右端が下側の前記平行移動溝の右端壁と上側の前記平行移動溝の左端壁を貫通し、前記保存箱の中には本願発明の動作を駆動できる駆動機構が設置され、前記移動空間の下端壁の中には前記蓄え機構の昇降を駆動できる昇降機構が設置され、前記駆動機構が前記蓄え機構を駆動して左右方向に移動させる時、左右方向に移動してガーゼを取って使用する回数は前記計数機構により計算され、手術完了後にガーゼの数を調べることができる。
【０００７】
有益なように、前記蓄え機構は前記移動空間の中に位置した四つの底板を含み、前記底板の上端面には鉛直止め板が四つ固定的に連結され、二つの前記鉛直止め板の間には仕切り板が五つ固定的に連結され、一番後ろの前記仕切り板の後端には鉄ブロックが固定され、前記底板の中には下方に開口した上げ空間が四つ設置され、前記上げ空間の中には摩擦板及び前記摩擦板と前記上げ空間の上端壁を連結した上げばねが設置され、前記上げ空間の上端壁にはまた接触センサーが固定的に連結され、二つの前記仕切り板の間にはピストン板及び前記ピストン板を支える二つの復帰ばねが設置され、前記ピストン板の下端には前記摩擦板と接触した連結ロッドが固定的に連結され、前記連結ロッドの下端が前記上げ空間の上端壁を貫通し、前記上げ空間の前端壁の中には後ろに開口した電磁空間が設置され、前記電磁空間の下端壁が前記移動空間と連通しており、前記電磁空間の上端壁には第二電磁石が固定的に連結され、前記摩擦板の中には前に開口した押し出し溝が形成され、前記押し出し溝の中には前記第二電磁石と反発し合いまた吸引し合うことができる第二台形ブロック及び前記第二台形ブロックを復帰させられる押し出しばねが設置され、また前記第二台形ブロックの前端が前記電磁空間の中に位置しており、一番前の前記上げ空間の前端壁の中には前に開口した接触空間が設置され、前記接触空間の上側端壁と下側端壁との間には摩擦軸が回転可能に連結され、前記摩擦軸には摩擦輪及び接触ロッドが固定的に連結され、前記接触空間の後端壁にはまた前記接触ロッドとの接触により前記第二電磁石の通電と停電を制御できる接触スイッチが固定的に連結されている。
【０００８】
有益なように、前記駆動機構は二つの前記上げ空間を連通できる貫通空間を含み、前記保存箱の中にはスライド空間が二つ設置され、上側の前記スライド空間の前端壁が前記移動空間と連通しており、下側の前記スライド空間の前端壁には二つの前記上げ空間と二つの前記貫通空間が連通され、前記貫通空間の後端壁の中には前に開口したスライド溝が形成され、前記スライド溝の後端壁には電動レールが固定的に連結され、上側の前記電動レールの前端面には前記鉄ブロックと吸引し合える第一電磁石が四つ固定的に連結され、下側の前記電動レールの前端面には前記鉄ブロックと吸引し合える前記第一電磁石が一つ固定され、前記移動空間の前端壁の中には後ろに開口した伸縮空間が設置され、前記伸縮空間の中には前記摩擦輪と接触した摩擦ブロックが設置され、また前記摩擦ブロックの後端が前記接触空間の中に位置しており、前記摩擦ブロックの後端には後下方に傾斜した斜面が設置され、前記伸縮空間の中にはまた前記摩擦ブロックと前記伸縮空間の前端壁を連結した伸縮ばねが設置されている。
【０００９】
有益なように、前記昇降機構は前記支え板を支えられる支えばねを含み、左側の前記支え板の下端には右側の前記支え板と固定的に連結されたロープが固定的に連結され、前記ロープの下端が二つの前記上げ空間の下端壁を貫通し、上側の前記スライド空間の下端壁の中には前に開口した昇降溝が二つ形成され、二つの前記昇降溝の上端壁が前記スライド空間と連通しており、前記昇降溝の下端壁が前記上げ空間の中に伸びて下側の前記スライド空間の上下端壁を貫通し、下側の前記スライド溝の左右端壁の中には前記スライド溝と連通したばね溝が形成され、前記ばね溝の中にはばねロッドが設置され、前記ばねロッドの一端が前記スライド溝の中に位置しており、前記ばね溝の中にはまた前記ばねロッドと前記ばね溝の端壁を連結した圧縮ばねが設置され、前記ばねロッドの一端には前記支えブロックと固定的に連結されたチェーンが固定的に連結され、前記チェーンの一端が前記ばね溝の端壁と下側の前記平行移動溝の端壁を貫通する。
【００１０】
有益なように、ガーゼの重さは前記復帰ばねの弾性力と前記上げばねの弾性力との和より大きく、前記第二電磁石と前記第二台形ブロックとの間の磁力は前記上げばねの弾性力より遥かに大きく、前記伸縮空間の左右端壁の距離は前記底板の左右端面の距離より小さく、左側の前記支えばねの弾性力は右側の前記支えばねの弾性力より遥かに大きく、左側の前記支えばねの弾性力は一つの前記底板の重力と前記支えばねの弾性力との和より小さく、前記圧縮ばねの弾性力は前記制限ばねの弾性力より遥かに大きく、前記制限ばねの弾性力は前記平行移動ばねの弾性力より遥かに大きく、前記プッシュブロックと前記制限空間との間の摩擦力は前記プッシュばねの弾性力より遥かに大きいが、前記プッシュブロックと前記摩擦板との間の摩擦力より小さい。
【発明の効果】
【００１１】
本願発明の効果は：本願発明は構成が簡単で、操作が便利であり、所要のガーゼに消毒をタイムリー行い、手術室でガーゼを空気と接触させて貯蔵することで、ガーゼに細菌が付いて細菌感染を引き起こすのを防止し、また仕切り空間により各ガーゼを別々に貯蔵し、ガーゼ同士が接触して交差感染問題をもたらすことを避け、更に、使用されていないガーゼを取って使用する場合と使用されたガーゼを戻す場合、全部計数の方式でガーゼの数が記録され、こうして手術を終えた後に、ガーズカウントに便利を与える。
【図面の簡単な説明】
【００１２】
下記に図１〜５をあわせて本発明について詳しく説明し、便利に説明するために、下記の方向を以下のように規定する：図１は本発明装置の正面図であり、本願に記載の各方向が、図１と同じ向きに装置を見た際の方向である。
【００１３】
【図１】図１は本願発明の構成概略図
【図２】図２は図１の「Ａ―Ａ」構成の概略図
【図３】図３は図１の「Ｂ―Ｂ」構成の概略図
【図４】図４は図１の「Ｃ」構成の正面拡大概略図
【図５】図５は図１の「Ｄ」構成の正面拡大概略図
【発明を実施するための形態】
【００１４】
図１〜５に示すように、手術用ガーゼ計数装置であって、保存箱１０を含み、前記保存箱１０の中には上方に開口した移動空間３２が設置され、また前記移動空間３２の左右端壁が外部空間と連通しており、前記保存箱１０の上側には前記移動空間３２の上端壁を封鎖できるカバー板２９が設置され、また前記カバー板２９の後端が前記保存箱１０と回転可能に連結され、前記カバー板２９の中には下方に開口した照明空間３１が設置され、前記照明空間３１の上端壁には殺菌するために使用される紫外線灯３０が固定され、前記移動空間３２の中にはガーゼを貯蔵する蓄え機構７４が設置され、前記移動空間３２の下端壁の中には計数するために使用される計数機構７１が設置され、前記移動空間３２の下端壁の中には上方に開口した上げ空間１７が二つ設置され、前記上げ空間１７の中には昇降可能な支え板１６が設置され、前記計数機構７１は外界と左側の前記上げ空間１７とを連通する五つの平行移動空間５８及び外界と右側の前記上げ空間１７を連通する一つの前記平行移動空間５８を含み、前記平行移動空間５８の下端壁の中には上方に開口した平行移動溝５６が形成され、左側の前記支え板１６の中には左方に開口した四つのプッシュ溝６４及び上方に開口した四つの制限空間６７が設置され、前記プッシュ溝６４の中にはプッシュ板５５及び前記プッシュ板５５と前記プッシュ溝６４の右端壁を連結したプッシュばね６５が設置され、前記制限空間６７の中にはプッシュブロック６８及び前記プッシュブロック６８と前記プッシュ板５５を連結した引き紐６６がスライド可能に連結され、前記平行移動溝５６の中には支えブロック６３が設置され、前記支えブロック６３の上端が前記平行移動空間５８の中に位置しており、上側の四つの前記平行移動空間５８の中には前記プッシュ板５５と当接した第一台形ブロック５７が設置され、前記台形ブロック５７の右端が前記プッシュ溝６４の中に位置しており、前記第一台形ブロック５７と上側の前記支えブロック６３の上端とが固定的に連結され、下側の前記平行移動空間５８の中には下側の前記支えブロック６３の上端と固定的に連結された制限ロッド６９が設置され、上側の前記平行移動溝５６の中には前記支えブロック６３の左側に位置した平行移動板６２及び前記平行移動板６２と前記平行移動溝５６の左端壁を連結した平行移動ばね６１が設置され、下側の前記平行移動溝５６の中にはまた前記支えブロック６３と前記平行移動溝５６の端壁を連結した制限ばね７０が設置され、左下の前記支えブロック６３の下端には前記平行移動板６２と固定的に連結された連結縄５９が四本固定され、四本の前記連結縄５９の右端が下側の前記平行移動溝５６の右端壁と上側の前記平行移動溝５６の左端壁を貫通し、前記保存箱１０の中には本願発明の動作を駆動できる駆動機構７３が設置され、前記移動空間３２の下端壁の中には前記蓄え機構７４の昇降を駆動できる昇降機構７２が設置され、前記駆動機構７３が前記蓄え機構７４を駆動して左右方向に移動させる時、左右方向に移動してガーゼを取って使用する回数は前記計数機構７１により計算され、手術完了後にガーゼの数を調べることができる。
【００１５】
有益なように、前記蓄え機構７４は前記移動空間３２の中に位置した四つの底板２０を含み、前記底板２０の上端面には鉛直止め板２５が四つ固定的に連結され、二つの前記鉛直止め板２５の間には仕切り板２７が五つ固定的に連結され、一番後ろの前記仕切り板２７の後端には鉄ブロック５０が固定され、前記底板２０の中には下方に開口した上げ空間２１が四つ設置され、前記上げ空間２１の中には摩擦板１９及び前記摩擦板１９と前記上げ空間２１の上端壁を連結した上げばね２２が設置され、前記上げ空間２１の上端壁にはまた接触センサー２８が固定的に連結され、二つの前記仕切り板２７の間にはピストン板２６及び前記ピストン板２６を支える二つの復帰ばね２３が設置され、前記ピストン板２６の下端には前記摩擦板１９と接触した連結ロッド２４が固定的に連結され、前記連結ロッド２４の下端が前記上げ空間２１の上端壁を貫通し、前記上げ空間２１の前端壁の中には後ろに開口した電磁空間３９が設置され、前記電磁空間３９の下端壁が前記移動空間３２と連通しており、前記電磁空間３９の上端壁には第二電磁石４０が固定的に連結され、前記摩擦板１９の中には前に開口した押し出し溝３８が形成され、前記押し出し溝３８の中には前記第二電磁石４０と反発し合いまた吸引し合うことができる第二台形ブロック３７及び前記第二台形ブロック３７を復帰させられる押し出しばね３６が設置され、また前記第二台形ブロック３７の前端が前記電磁空間３９の中に位置しており、一番前の前記上げ空間２１の前端壁の中には前に開口した接触空間４３が設置され、前記接触空間４３の上側端壁と下側端壁との間には摩擦軸４２が回転可能に連結され、前記摩擦軸４２には摩擦輪４１及び接触ロッド４７が固定的に連結され、前記接触空間４３の後端壁にはまた前記接触ロッド４７との接触により前記第二電磁石４０の通電と停電を制御できる接触スイッチ４８が固定的に連結されている。
【００１６】
有益なように、前記駆動機構７３は二つの前記上げ空間１７を連通できる貫通空間１１を含み、前記保存箱１０の中にはスライド空間３３が二つ設置され、上側の前記スライド空間３３の前端壁が前記移動空間３２と連通しており、下側の前記スライド空間３３の前端壁には二つの前記上げ空間１７と二つの前記貫通空間１１が連通され、前記貫通空間１１の後端壁の中には前に開口したスライド溝１３が形成され、前記スライド溝１３の後端壁には電動レール１２が固定的に連結され、上側の前記電動レール１２の前端面には前記鉄ブロック５０と吸引し合える第一電磁石３４が四つ固定的に連結され、下側の前記電動レール１２の前端面には前記鉄ブロック５０と吸引し合える前記第一電磁石３４が一つ固定され、前記移動空間３２の前端壁の中には後ろに開口した伸縮空間４６が設置され、前記伸縮空間４６の中には前記摩擦輪４１と接触した摩擦ブロック４４が設置され、また前記摩擦ブロック４４の後端が前記接触空間４３の中に位置しており、前記摩擦ブロック４４の後端には後下方に傾斜した斜面が設置され、前記伸縮空間４６の中にはまた前記摩擦ブロック４４と前記伸縮空間４６の前端壁を連結した伸縮ばね４５が設置されている。
【００１７】
有益なように、前記昇降機構７２は前記支え板１６を支えられる支えばね１５を含み、左側の前記支え板１６の下端には右側の前記支え板１６と固定的に連結されたロープ１４が固定的に連結され、前記ロープ１４の下端が二つの前記上げ空間１７の下端壁を貫通し、上側の前記スライド空間３３の下端壁の中には前に開口した昇降溝１８が二つ形成され、二つの前記昇降溝１８の上端壁が前記スライド空間３３と連通しており、前記昇降溝１８の下端壁が前記上げ空間１７の中に伸びて下側の前記スライド空間３３の上下端壁を貫通し、下側の前記スライド溝１３の左右端壁の中には前記スライド溝１３と連通したばね溝５１が形成され、前記ばね溝５１の中にはばねロッド５４が設置され、前記ばねロッド５４の一端が前記スライド溝１３の中に位置しており、前記ばね溝５１の中にはまた前記ばねロッド５４と前記ばね溝５１の端壁を連結した圧縮ばね５２が設置され、前記ばねロッド５４の一端には前記支えブロック６３と固定的に連結されたチェーン５３が固定的に連結され、前記チェーン５３の一端が前記ばね溝５１の端壁と下側の前記平行移動溝５６の端壁を貫通する。
【００１８】
有益なように、ガーゼの重さは前記復帰ばね２３の弾性力と前記上げばね２２の弾性力との和より大きく、前記第二電磁石４０と前記第二台形ブロック３７との間の磁力は前記上げばね２２の弾性力より遥かに大きく、前記伸縮空間４６の左右端壁の距離は前記底板２０の左右端面の距離より小さく、左側の前記支えばね１５の弾性力は右側の前記支えばね１５の弾性力より遥かに大きく、左側の前記支えばね１５の弾性力は一つの前記底板２０の重力と前記支えばね１５の弾性力との和より小さく、前記圧縮ばね５２の弾性力は前記制限ばね７０の弾性力より遥かに大きく、前記制限ばね７０の弾性力は前記平行移動ばね６１の弾性力より遥かに大きく、前記プッシュブロック６８と前記制限空間６７との間の摩擦力は前記プッシュばね６５の弾性力より遥かに大きいが、前記プッシュブロック６８と前記摩擦板１９との間の摩擦力より小さい。
【００１９】
初期状態の時、左側の前記圧縮ばね５２、前記平行移動ばね６１、前記プッシュばね６５、前記復帰ばね２３及び右側の前記支えばね１５はいずれも圧縮された状態にあり、前記平行移動ばね６１と前記上げばね２２が引っ張られた状態にある。
【００２０】
保存箱１０を使用する時、紫外線灯３０をつけ、ゲーゼに消毒作業を行い、ガーゼを使用する時、上側の電動レール１２が作動して上側の第一電磁石３４を駆動して左方に移動させ、そして鉄ブロック５０が左方に移動し、仕切り板２７と底板２０を駆動して左方に移動させ、底板２０の移動により摩擦輪４１が移動し、摩擦輪４１が摩擦ブロック４４の後端で転がり、そして摩擦軸４２を駆動して回転させ、更に接触ロッド４７を駆動して回転させ、接触ロッド４７が回転して接触スイッチ４８の右端と接触した時、接触スイッチ４８により一番後ろの第二電磁石４０を制御して作動させ、そして第二電磁石４０が一つの第二台形ブロック３７と反発し合い、第二台形ブロック３７が下降し、そして一つの摩擦板１９を駆動して下降させて前記プッシュブロック６８の上端と接触させ、更に底板２０が左方に移動する過程に、摩擦板１９を駆動して左方に移動させ、プッシュブロック６８を駆動して左方に移動させ、引き紐６６を緩め、更にプッシュばね６５を復帰させ、またプッシュ板５５を駆動して左方に移動させ、更に一番後ろの第一台形ブロック５７を左方に移動させ、支えブロック６３が左方に移動して平行移動板６２と接触し、この時、第一台形ブロック５７の左端が外界に位置すると、一つの使用されていないガーゼはすでに取られた。
【００２１】
一番後ろのガーゼを取っていった後、復帰ばね２３が復帰してピストン板２６と連結ロッド２４を駆動して上昇させ、上側の電動レール１２が作動して上側の第一電磁石３４を駆動して右方に移動復帰させ、そして仕切り板２７と底板２０を駆動して右方に移動復帰させ、摩擦板１９に一番後ろのプッシュブロック６８を駆動して右方に移動復帰させ、更に引き紐６６を引き締め、またプッシュ板５５を駆動して復帰させ、一番後ろのプッシュばね６５を再び圧縮し、摩擦輪４１が底板２０とともに右方に移動して摩擦ブロック４４で逆転する時、摩擦軸４２と接触ロッド４７を駆動して逆転させ、接触ロッド４７が接触スイッチ４８の左端と接触した時、作動している一つの第二電磁石４０が作動を停止し、この時、上げばね２２が復帰し、摩擦板１９を駆動して摩擦板１９と連結ロッド２４の下端とが接触するまで上昇させ、摩擦板１９が上昇する過程に、第二台形ブロック３７が押し出し溝３８の中に押し戻され、また押し出しばね３６が圧縮され、摩擦板１９が再び連結ロッド２４の下端と接触した時、摩擦板１９が当該上げ空間２１の中の接触センサー２８と接触し、この時、当該摩擦板１９の上側にはすでに使用されたガーゼが置かれていないのを一回記録する。
【００２２】
ガーゼを使用した後、また当該ピストン板２６の上側にすでに使用されたガーゼを置くと、復帰ばね２３が復帰しなく、スライド空間３３が蓄え機構７４を駆動して復帰させる時、摩擦板１９が上方に復帰する時に接触センサー２８と接触しなく、この時、記録しない。
【００２３】
一つの底板２０の上側にある使用されていないガーゼが全部取られた時、四つの第一台形ブロック５７が全部プッシュ溝６４の中から離れ、この時、左側の支え板１６が制限を失い、上側の一番左の第一電磁石３４が作動を停止し、一番左の底板２０の重力と右側の支えばね１５の弾性力の作用で、左側の支え板１６が下降して左側の支えばね１５を圧縮し、左側の支え板１６が一番下まで下降し、また鉄ブロック５０が下側の第一電磁石３４と接触した時、下側の第一電磁石３４が作動して鉄ブロック５０と吸引し合い、この時、下側の電動レール１２が作動して第一電磁石３４と鉄ブロック５０を駆動して右方に移動させ、そして仕切り板２７と底板２０を駆動して右方に移動させ、下側の第一電磁石３４が右方に移動するため、左側のばねロッド５４を右方に移動させ、また圧縮ばね５２を復帰させ、更に左側のチェーン５３が引き締められ、左下の支えブロック６３を右方に移動させ、一番下の制限ロッド６９が右方に移動して左側の支え板１６を制限し、制限ばね７０が引っ張られ、左下の支えブロック６３が右方に移動し、そして連結縄５９を緩め、平行移動ばね６１を復帰させ、更に平行移動板６２と支えブロック６３を駆動して右方に移動させ、第一台形ブロック５７が右方に移動して左側の上げ空間１７の中に入り、下側の第一電磁石３４が右方に移動して底板２０を駆動して右側の支え板１６の上側に到達させた時、第一電磁石３４が右側のばねロッド５４を駆動して右方に移動させ、また右側のチェーン５３を緩め、そして右側のチェーン５３がゆるくなり、そして右側の制限ばね７０が復帰して右側の支えブロック６３と制限ロッド６９を駆動して右方に移動させ、更に右側の制限ロッド６９が右側の支え板１６の上方への移動を制限しなくなり、この時、下側の第一電磁石３４が作動を停止して鉄ブロック５０と吸引しなくなり、この時、右側の支えばね１５が復帰して底板２０を駆動して上方に移動させ、右側の支えばね１５が復帰した時、上側の電動レール１２が作動して上側の第一電磁石３４を駆動して右方に移動させ、第一電磁石３４が作動しなくて鉄ブロック５０と吸引しなく、この時、一番右の第一電磁石３４がちょうど上昇している鉄ブロック５０と接触し、この時、上側の四つの第一電磁石３４が作動し、更に上側のスライド溝１３が作動して四つの第一電磁石３４を駆動して左方に移動させ、四つの紫外線灯３０を左方に移動させ、元々に左側から二番目の底板２０が一番左に位置する底板２０に変えられる。
【００２４】
下側の電動レール１２が下側の第一電磁石３４を駆動して左方に移動復帰させた時、下側の第一電磁石３４が左側の圧縮ばね５２を圧縮し、また右側の圧縮ばね５２を緩め、そして左側のチェーン５３を緩めて右側のチェーン５３を引き締め、更に下側の支えブロック６３と制限ロッド６９を復帰させ、左下の支えブロック６３が復帰する時、連結縄５９を引き締め、上側の平行移動板６２を復帰させ、平行移動ばね６１が改めて圧縮され、この時、左側の支え板１６が制限を失い、左側の支えばね１５が復帰して支え板１６を駆動して上方に移動させ、ロープ１４を引き締め、左側の支え板１６が上昇する時、第一台形ブロック５７が再びプッシュ溝６４の中に入ってプッシュ板５５と当接し、右側の支え板１６がロープ１４に圧縮されて下降し、右側の支え板１６が一番下に下降した時、右側の制限ロッド６９に制限され、この時、ガーゼを再び取って使用でき、また底板２０の移動を一回記録する。
【００２５】
手術完了後、カウントする時、各底板２０の移動回数及び四つの第一台形ブロック５７が左方に押し出された回数により、使用されたガーゼの数を精確に計算でき、接触センサー２８に記録されたデータによりスライド空間３３の中に入れていないガーゼの数が知れ、医者がガーゼを清掃することに便利を与える。
【００２６】
上記の実施例は本願発明の技術的構想と特徴を説明するだけであり、その目的は当業者に本願発明内容を了解させてさらに実施させるのであり、本願発明の保護範囲を制限することはできない。本願発明の精神の実質に基づいて行われたすべての等価的な変化又は修飾は、本願発明の保護範囲の中に含むべきである。
【要約】      （修正有）【課題】手術用ガーゼ計数装置を提供する。【解決手段】保存箱１０を含み、保存箱の中には上方に開口した移動空間３２が設置され、また移動空間の左右端壁が外部空間と連通しており、保存箱の上側には移動空間の上端壁を封鎖できるカバー板２９が設置され、またカバー板の後端が保存箱と回転可能に連結され、カバー板の中には下方に開口した照明空間３１が設置され、所要のガーゼに消毒をタイムリーに行い、手術室でガーゼを空気と接触させて貯蔵することで、ガーゼに細菌が付いて細菌感染を引き起こすのを防止し、また仕切り空間により各ガーゼを別々に貯蔵し、ガーゼ同士が接触して交差感染問題をもたらすことを避け、更に、使用されていないガーゼを取って使用する場合と使用されたガーゼを戻す場合、全部計数の方式でガーゼの数が記録され、こうして手術を終えた後に、ガーズカウントに便利を与える。【選択図】図１【図１】
0006764099.tif 000002
【図２】
0006764099.tif 000003
【図３】
0006764099.tif 000004
【図４】
0006764099.tif 000005
【図５】
0006764099.tif 000006